(57)【特許請求の範囲】
【請求項１】
枠体と、この枠体内に左右方向に移動可能に設けられ、かつ、少なくとも一部が室内側と室外側とに前後に位置をずらして配置された複数の障子とを備え、
前記枠体の内部が、上下方向に沿って配置される方立を境に開口部と障子収納部とに仕切られ、
前記障子により前記開口部を閉じた状態で、前記障子の左右側縁部のうちの他の障子の左右側縁部と左右位置が重なるように前後に隣接する左右側縁部には、隣接する前記左右側縁部との間で互いに係合する煙返しがそれぞれ設けられ、
前記障子のうちの前記開口部を閉じた際に最も方立側に配置される方立側の障子が所定位置に配置された状態で、前記方立側の障子が前記所定位置よりさらに閉じる側に移動するのを規制する規制部材が備えられ、
前記規制部材は、
前記煙返しの係合に基づいて前記方立側の障子を閉じる方向に連動させることが可能な障子のうちの閉じた状態で最も前記方立から離れた障子を、少なくとも開放側への移動を禁止するように施錠した際に、
前記所定位置を、連動する一連の障子の互いに係合する煙返しの対において、互いに係合した煙返し同士が当接した状態となる前記方立側の障子の位置とするように調整可能となっていることを特徴とする開口部装置。
【請求項２】
前記枠体が上枠、下枠、左右の縦枠から方形枠状に形成され、
前記規制部材は、前記上枠もしくは下枠に固定されるとともに、
前記方立側の障子の前記方立の反対側となる召合せ側端面の上端部もしくは下端部に当接する当接部が備えられ、
かつ、前記当接部の位置を左右に調整可能とされていることを特徴とする請求項１記載の開口部装置。
【発明の詳細な説明】
【技術分野】
【０００１】
本発明は、内側と外側に配置されて左右方向に移動可能な複数の障子が枠体内に設けられ、かつ、煙返し構造を備えた開口部装置に関する。
【背景技術】
【０００２】
この種の開口部装置の一つとして、建物の開口部の周りに設けられる上枠、下枠および左右の縦枠からなる枠体と、この枠体内に左右方向に移動可能に設けられた障子と、この障子を引き込み形式で収納する戸袋とを備え、開口部を全開にすることができる全開口型サッシ（全開サッシ）が知られている（例えば、特許文献１参照）。
【０００３】
このような全開サッシにあっては、例えば、窓等の開口部を全開できることにより、利便性の向上だけではなく、窓を開口した場合に室内側から障子が見えなくなることで意匠性の向上を図ることができる。
ここで、一般的に、内外の障子を有する引き違いの窓サッシにおいては、通常、クレセント錠が設けられている。クレセント錠は、例えば、外側の障子（外障子）の召合せ側の縦框のパネル（ガラス）側に設けられたフックと、内側の障子（内障子）の召合せ側の縦框の左もしくは右方向を向く端面に設けられると共に、把手の付いた回転可能な半円盤とからなる。この半円盤は突起を有するもので、半円盤を回転させて、フックに突起を引っかけて左右方向及び前後方向に締めつけることで窓を開かないように固定する。
このクレセント錠を用いた場合に、クレセント錠が、上述のように障子の縦框からガラス側に突出することで、縦框の縦のラインを乱し、意匠性を低下させていた。
【０００４】
【特許文献１】特開平６−２６２８６号公報
【発明の開示】
【発明が解決しようとする課題】
【０００５】
ところで、クレセント錠を用いることなく、例えば、戸先錠（合掌錠を含む）を用いるようにすれば、上述の召合せ部分の意匠性の向上を図ることができるが、戸先錠は、クレセント錠のように内外の障子同士を強く締めつけて固定することはないので、戸先錠で施錠しても、サッシの枠体と障子や障子同士のクリアランス等や許容範囲内の誤差などにより、障子ががたつく可能性がある。すなわち、戸先錠を用いた場合に、風や車の通過等による振動で障子ががたついてしまう。
【０００６】
また、全開サッシでは、障子の開放動作を容易にするために、例えば、外障子の召合せ側の縦框の室内側面と、内障子の召合せ側の縦框の室外側面とに上下に延在するとともに、互いに折り返し片を有する断面フック状の煙返しを設けることが考えられる。これにより、外障子を戸袋から出して閉じる側に移動し、外障子が略戸袋から出る状態となると、外障子の煙返しと内障子の煙返しとが係合する。さらに、外障子を閉じる側に移動することで、内障子が煙返しを介して外障子に引っ張られ、外障子に連動して内障子が閉められることになる。よって、開放時に戸袋に障子を収納した状態とする全開サッシにおいて、障子を閉める際の利便性を考えると煙返しを設けることが好ましい。また、閉じる時に戸袋側に配置される内障子の戸袋側の縦框と、方立とにもそれぞれ煙返しを設けることで、外障子の戸先錠（若しくは合掌錠）を閉めた際に、内障子は、外障子の煙返しと、方立の煙返しの両方に係合して左右への移動ができなくなり内障子も開口を閉じた状態で施錠された状態となる。
【０００７】
しかし、煙返しを設けた場合に、上述のようにクレセント錠に代えて戸先錠を設ける構成とすることで、施錠時に障子ががたつくような状態となっていると、障子ががたついた際に、外障子と内障子の例えばアルミ（合金）製の煙返し同士が接触し不快な金属音が発生してしまう。すなわち、上述のように、外障子の煙返しと方立の煙返しとにより左右への移動を規制された内障子は、煙返し同士のクリアランス分だけ左右への僅かな移動が可能な状態であり、これによりがたつきが発生する。
この場合に、例えば、外障子と内障子との召合せ部分などに外障子と内障子とを締めつけるサブロックを設けることが考えられるが、サブロックを使用しなければ、がたつきを止めることができない。
【０００８】
また、閉じる時に係合する煙返し同士のクリアランスを０とし、閉じる時に煙返し同士が当接した状態とすれば、金属音の発生を防止し、さらにがたつき自体の発生を防止することができる。しかし、製造誤差等による寸法のばらつきが生じるので、クリアランスを０として設計しても、クリアランスが生じてしまう可能性がある。また、逆にクリアランスがマイナスとなりスムーズに障子を閉じることができない場合が生じる可能性がある。
また、風が吹いた際などに、施錠した状態であるにも拘わらず上述のようながたつきに基づく金属音が発生すると、障子ががたつくことがないクレセント錠に慣れている場合に、サッシが施錠されていないと勘違いして不安になる可能性がある。
【０００９】
本発明はこのような事情に鑑みてなされたもので、煙返しを使用する場合で、かつ、クレセント錠を使用しない場合に、施錠時の障子のがたつきと、この障子のがたつきに基づく煙返しによる異音の発生を防止することを目的とする。
【課題を解決するための手段】
【００１０】
前記目的を達成するために、請求項１に記載の開口部装置は、枠体と、この枠体内に左右方向に移動可能に設けられ、かつ、少なくとも一部が室内側と室外側とに前後に位置をずらして配置された複数の障子とを備え、
前記枠体の内部が、上下方向に沿って配置される方立を境に開口部と障子収納部とに仕切られ、
前記障子により前記開口部を閉じた状態で、前記障子の左右側縁部のうちの他の障子の左右側縁部と左右位置が重なるように前後に隣接する左右側縁部には、隣接する前記左右側縁部との間で互いに係合する煙返しがそれぞれ設けられ、
前記障子のうちの前記開口部を閉じた際に最も方立側に配置される方立側の障子が所定位置に配置された状態で、前記方立側の障子が前記所定位置よりさらに閉じる側に移動するのを規制する規制部材が備えられ、
前記規制部材は、
前記煙返しの係合に基づいて前記方立側の障子を閉じる方向に連動させることが可能な障子のうちの閉じた状態で最も前記方立から離れた障子を、少なくとも開放側への移動を禁止するように施錠した際に、
前記所定位置を、連動する一連の障子の互いに係合する煙返しの対において、互いに係合した煙返し同士が当接した状態となる前記方立側の障子の位置とするように調整可能となっていることを特徴とする。
【００１１】
請求項２に記載の発明は、請求項1記載の開口部装置において、前記枠体が上枠、下枠、左右の縦枠から方形枠状に形成され、
前記規制部材は、前記上枠もしくは下枠に固定されるとともに、
前記方立側の障子の前記方立の反対側となる召合せ側端面の上端部もしくは下端部に当接する当接部が備えられ、
かつ、前記当接部の位置を左右に調整可能とされていることを特徴とする。
【００１２】
前記開口部装置においては、障子は基本的に引き違いに配置されるが、引き違いに左右複数枚ずつの障子が配置された両寄せタイプ（引き分けタイプ）の障子であっても良いし、全ての障子が引き違いに配置される片引きタイプであっても良く、さらに、煙返しで連結されて連動する障子は、２枚であっても、３枚以上であっても良く、開口部を閉じた状態で左右方向の位置が一致するように前後に重なった障子の左右側縁部にそれぞれ設けられた煙返しが互いに係合するようになっていれば良い。
また、煙返しは、周知のものであり、障子を閉じる方向に移動させる際に互いに連結され、障子を開ける方向に移動させる際に連結が解除されるものである。
【００１３】
また、片引きタイプの場合には、枠体内に一本の方立が配置され、この方立を境に左右方向の一方側が開口部とされ、他方側が障子収納部（戸袋）とされる。また、両寄せタイプの場合には、枠体の左右にそれぞれ方立が配置され、方立を境に、枠体の左右の端部側がそれぞれ障子収納部とされ、中央側が開口部とされる。
なお、上述の本発明の構成においては、一本の方立を基準として記載しており、両開きタイプの場合には、枠体を除いて記載された構成が二組存在することになる。
また、施錠される障子は、例えば、戸先錠により固定された状態の枠体側に施錠されて位置を固定されるが、両開きの開口部装置の場合に合掌錠を用いてもよく、この場合に、施錠される対象が固定されておらず、施錠により互いに位置を固定されることになるが、規制部材の前記所定位置が正確に調整されていれば、開放側への移動を禁止された状態となる。
【発明の効果】
【００１４】
請求項１記載の開口部装置によれば、クレセント錠を用いずに、戸先錠や合掌錠により方立から最も離れた側の障子を固定した際に、方立側の障子が所定位置で規制部材により方立から離れる方向への移動を規制されるとともに、所定位置で方立側の障子の移動を規制した際に、互いに係合する煙返し同士が互いに当接した状態となる。この場合に方立から最も遠い障子が施錠により方立側（開放側）への移動が規制され、方立に最も近い方立側の障子が方立から離れる側（閉塞側）への移動を規制された状態で、煙返し同士が互いに当接された状態、すなわち、クリアランスが０の状態となるので、障子のガタツキが防止されるとともに、障子のガタツキにより煙返し同士が離れたりぶつかったりして金属音が発生することが防止されることになる。
【００１５】
なお、方立と方立側の障子にもそれぞれ互いに係合する煙返しを設け、これら煙返しにより方立側の障子の方立から離れる側への移動を規制することもできるが、この場合には、上述のように障子を閉じた状態で互いに係合する煙返し同士が当接するように煙返し同士のクリアランスを０として開口部装置を設計および製造する必要がある、しかし、製造される全ての製品でクリアランスを０とすることは実質的に不可能であり、全ての製品でがたつきをなくすことはできない。それに対して、本発明では、この方立の煙返しに代えて上述の規制部材で方立側の障子の移動を規制するとともに、規制位置が所定位置となるように調整することで、製造される全ての製品でがたつき及びそれに基づく異音の発生を防止することができる。
なお、本発明において、方立の煙返しが有ってもよいし、なくしてもよい。方立の煙返しが有るものとした場合に、方立の煙返しと、当該煙返しと係合する障子側の煙返しとは基本的には当接した状態とならず、方立側の障子は、方立の煙返しにより位置を規制されることなく、方立の煙返しとは別の部材である規制部材により位置を規制されることになる。
【００１６】
請求項２記載の開口部装置によれば、規制部材が、枠体の上枠もしくは下枠に取り付けられ、方立側の障子の端面に当接部が当接して方立側の障子の移動を規制するとともに、当接部の位置を左右にずらすことにより移動を規制する位置を所定位置に調整可能となっている。
これにより、例えば、閉じる時に煙返しにより連結される障子のうちの最も方立から離れる障子を戸先錠等により固定した状態で、方立側の障子を方立側に押し付けるようにして当接部の位置を決めれば、施錠した状態で全ての障子の互いに係合する煙返し（方立の煙返しとこの方立の煙返しに係合する障子の煙返しは含まれない）同士が互いに当接した状態とすることができる。この場合に室内側から規制部材の調整を行うことができる。そして、このように決めた位置で当接部を固定するだけで規制部材を簡単に調整することができる。なお、規制部材の調整方法はこれに限られるものではない。
【発明を実施するための最良の形態】
【００１７】
以下、添付した図面を参照しながら、本発明の実施の形態を説明する。
図１〜図８は、本発明の実施の形態に係る２枚建て片引き全開口タイプのサッシを示す図であって、図１は、閉じた状態の横断面図であり、図２は、開いた状態の縦断面図であり、図３は上枠カバーを示す縦断面図であり、図４〜図５は後述の規制部材を示す図面であり、図７および図８は、後述の製造誤差への対応方法を説明するための図面である。
【００１８】
このサッシ（開口部装置）は、図１〜図３に示すように、２枚の障子を内外に引き違いに配置した片引き全開口タイプ（片引き込みタイプ）のサッシである。このサッシは、建物の開口部に取り付けられる枠体Ａと、この枠体Ａ内に、室内側と室外側とに前後に位置をずらして配置され、かつ、左右方向（水平方向）に移動可能に設けられた外障子（障子）Ｂおよび内障子（障子）Ｃとを備えている。なお、図１、図７、図８においては、障子Ｂ，Ｃに嵌め込まれるパネルと、枠体Ａの上枠１との図示を省略し、枠体Ａの後述の方立Ｅより右側となる障子収納部Ｄは一部だけ図示（枠体Ａの右側（障子収納部Ｄ側）の縦枠４を図示省略）されている。
【００１９】
枠体Ａの内側の一方（この例では右側）の側部には、障子Ｂ，Ｃを収納可能な障子収納部（戸袋部ともいう。）Ｄが設けられており、障子収納部Ｄは、方立Ｅによりサッシの開口部Ｆと仕切られている。このサッシでは、外障子Ｂおよび内障子Ｃを右側の障子収納部Ｄに収納することによって、開口部Ｆを全開状態にすることができる。すなわち、図１において、外障子Ｂおよび内障子Ｃを方立Ｅの右側に移動可能となっている。なお、開口部Ｆは、建物の開口部と略重なるように配置されており、建物に形成された開口部をほぼ全開状態とすることができるようになっている。なお、枠体Ａの障子Ｂ，Ｃより外側には、図２、図３に示すように、網戸Ｍ，Ｎが二枚引き違いに配置されており、網戸Ｍ，Ｎも障子収納部Ｄ側に引き込むことで、開口部Ｆを全開状態とすることが可能となっている。
【００２０】
枠体Ａは、上枠１、下枠２および左右の縦枠３、４により方形枠状に組み立てられて構成されている。なお、図１、図７、図８の横断面図においては、断面を下から上に向かって見た状態で示しているが、上枠１および後述の上枠カバー５０の図示を省略している。
外障子Ｂは、上框１１、下框１２および左右の縦框１３、１４により方形枠状の框組体が組み立てられ、この框組体にパネルである複層ガラス１６が組み込まれて構成されている。また、内障子Ｃは、上框２１、下框２２および左右の縦框２３、２４により方形の框組体が組み立てられ、この框組体にパネルである複層ガラス２６が組み込まれて構成されている。
外障子Ｂ及び内障子Ｃの上框１１，２１、下框１２，２２および左右の縦框１３，２３、１４，２４は、例えば、アルミ合金等の金属からなり、複層ガラス２６の室内側の側面よりさらに室内側に突出して設けられるとともに、その室内側に露出する面は、複合構造を有する断熱サッシの樹脂形材としての樹脂カバーにより覆われた状態となっており、上述の金属部分が室内側に露出しない状態となっている。すなわち、外障子Ｂ及び内障子Ｃは、室外側がアルミ合金等の金属もしくはその塗装面が露出し、室内側が合成樹脂製の樹脂カバーで覆われた複合構造を有する断熱サッシの障子Ｂ，Ｃとなっている。
【００２１】
図２に示すように、枠体Ａの上枠１の内側面となる下面には、左右方向に延在して外障子Ｂ用のレール１ａと内障子Ｃ用のレール１ｂとがリブ状に形成され、外障子Ｂの上框１１および内障子Ｃの上框２１には、それぞれレール１ａ，１ｂが挿入されて、レール１ａ，１ｂにその長さ方向に沿って左右に移動自在に係止されるレール係止部１１ａ，２１ａが設けられている。
また、この際に、上枠１の下面と外障子Ｂの上框１１および内障子Ｃの上框２１の上面との間には間隔があけられている。
【００２２】
また、外障子Ｂの下框１２および内障子Ｃの下框２２には、これら外障子Ｂおよび内障子Ｃの移動を円滑にする車輪１２ａ，２２ａが内蔵されるとともに、下框１２，２２には、前記車輪１２ａ，２２ａより下方に延出する掛止リブ１２ｂ，２２ｂが形成されている。
また、枠体Ａの下枠２の内側面となる上面においては、上記外障子Ｂおよび内障子Ｃの車輪１２ａ，２２ａの通過する位置が僅かに棒出しているが明確なレールはない。枠体Ａの下枠２の上面には、前記係止リブ１２ｂ、２２ｂが左右に移動自在に挿入される左右に延在したスリットが形成されており、レールがなくても外障子Ｂおよび内障子Ｃが外れないようになっている。この枠体Ａは、下枠２の上面が床面レベルと略等しくされた掃きだし窓に使用されるもので、下枠２の上面にレール等の段差がほとんどないバリアフリータイプとなっている。
【００２３】
また、２枚建て片引きサッシとして、外障子Ｂは、開口部Ｆを閉じる際に、枠体Ａの障子収納部Ｄの反対側すなわち左側の縦枠３にほぼ当接して、開口部Ｆの左側に配置され、内障子Ｃは、開口部Ｆの障子収納部Ｄ側である右側に配置される。
また、外障子Ｂの召合せ側となる縦框１４には、図１に示すように、室内側面に所謂煙返し１８が形成されおり、後述する内障子Ｃの召合せ側となる縦框２３の室外側面に形成された煙返し２８と係合するようになっている。そして、外障子Ｂを開口部Ｆを閉じる側に移動した場合に、途中で、外障子Ｂの煙返し１８が内障子Ｃの煙返し２８に係合し、外障子Ｂに連動して内障子Ｃが閉じる側に移動するようになっている。また、外障子Ｂを開口部Ｆを開放する側に移動した場合には、外障子Ｂの煙返し１８と内障子Ｃの煙返し２８との係合が解除されるようになっている。
【００２４】
内障子Ｃの召合せ側の縦框２３の室外側面には、上述の煙り返し２８が形成されている。
以上のように、障子Ｂ，Ｃにより開口部Ｆを閉じた状態で、障子Ｂ，Ｃの左右側縁部（縦框１３，１４，２３，２４）のうちの他の障子の左右側縁部の何れかと左右位置が重なるように前後に隣接する障子の左右側縁部（縦框１４，２３）には、隣接する前記左右側縁部との間で互いに係合する煙返し１８，２８がそれぞれ設けられている。
【００２５】
また、内障子Ｃの戸先側（障子収納部Ｄ側）の縦框２４の室内側面には、後述する方立Ｅの煙返し３１と係合する煙返し２９が形成されている。これにより、内障子Ｃは、障子収納部Ｄから引き出して内障子Ｃの障子収納部Ｄ側の縦框２４と、方立Ｅが室内−室外方向で重なって煙返し２９と煙返し３１が係合した状態となり、さらに、煙返し２９と煙返し３１とが当接した状態となるとそれ以上障子収納部Ｄから離れる方向に移動できなくなる。しかし、この例においては、内障子Ｃを障子収納部Ｄから離れる方向に移動した場合に、煙返し２９と煙返し３１とが当接する前に後述の規制部材４０に内障子Ｃの召合せ側の縦框２３の端面が当接し、これにより内障子Ｃの移動が規制され、煙返し２９と煙返し３１とが当接することがないようになっている。
【００２６】
よって、方立Ｅの煙返し３１およびこの煙返し３１と係合する内障子Ｃの戸先側縦框２４に設けられた煙返し２９とは、外障子Ｂおよび内障子Ｃを閉じた状態で、内障子Ｃがさらに方立Ｅから離れる方向に移動して、開口部Ｆの方立Ｅ側が開口してしまうのを防止することはなく（規制部材４０が防止する）、基本的に方立Ｅと内障子Ｃの縦框２４との気密性を高めるためのものとなる。この場合、例えば、方立Ｅから内障子Ｃの縦框２４側に延出するとともに上下に延在するゴムや軟質合成樹脂等の弾性部材からなるシール部材を設け、方立Ｅと内障子Ｃの縦框２４との気密性を確保できれば、煙返し２９と煙返し３１とを省略しても良い。
【００２７】
なお、これら煙返し１８，２８、２９、３１は、基本的に断面が直角に屈曲した形状（フック状）で障子Ｂ，Ｃの上下に渡って延在して形成されたものであり、係合する煙返し１８，２８（２９，３１）同士は、互いにフックを掛け合うように係合し、係合した状態でさらに係合させた方向に移動させると、係合する煙返し１８，２８（２９，３１）同士が当接し、相対的にそれ以上係合させた方向に移動できない状態となる。
【００２８】
前記枠体Ａの上記開口部Ｆと障子収納部Ｄとの間に上下に延在する前記方立Ｅが設けられている。方立Ｅは、その上端部が上枠に接合され、下端部が下枠２に接合されている。また、枠体Ａの方立Ｅより障子収納部Ｄ側は建物の開口部の外側となり室内側からは壁によって見えない状態となっている。また、方立Ｅの室外側面には、上述の煙返し３１が設けられている。
一方、開口部Ｆは建物の開口部により室内側からその内周部分が露出した状態となっている。そして、矩形状の開口部Ｆの周囲は、上側が枠体Ａの上枠、下側が枠体Ａの下枠２、左側が枠体Ａの縦枠３、右側が方立Ｅにより構成されている。
そして、これら上枠、下枠２、縦枠３及び方立Ｅから構成される開口部Ｆの内周面側には、方形筒状の内周面を形成するアングル３３が取り付けられるとともに、アングル３３は、断熱サッシの上述の複合構造の樹脂形材であり、合成樹脂から形成される。
【００２９】
図１には、外障子Ｂの召合せ側の縦框１４と、内障子Ｃの召合せ側の縦框２３とが左右位置を略同じにして重なっている状態が図示されている。これは、基本的に開口部Ｆを外障子Ｂおよび内障子Ｃで閉めた状態で、外障子Ｂの戸先側に設けられた戸先錠を施錠することが可能な状態もしくは施錠した状態を示すものである。
図６に示すように、内障子Ｃの召合せ側の縦框２３に設けられた煙返し２８は、縦框２３の室外側面の長手方向に沿って上下に延在して形成されており、かつ、内障子Ｃの面方向に沿うとともに左右方向に沿って設けられたベース片２８ａと、ベース片２８ａから直角に室外側に屈曲して突出する屈曲片２８ｂと、屈曲片２８ｂからベース片２８ａと平行となるように障子収納部Ｄ側に折り返された折り返し片２８ｃとからなる。
【００３０】
従って、折り返し片２８ｃは、左右方向に沿って障子収納部Ｄ側に延出している。
なお、ベース片２８ａおよび屈曲片２８ｂは、縦框２４の本体を構成する部材を兼ねたものとなっている。
また、内障子Ｃにおいては、縦框２４の本体の室外側面と折り返し片２８ｃの室外側面とが一つの左右方向に沿った平面内に配置されている。また、折り返し片２８ｃとベース片２８ａとの間に上下に沿った溝状の凹部が障子収納部Ｄ側（内障子Ｃの戸先側）に開口して形成された状態となっている。
【００３１】
外障子Ｂの召合せ框側の縦框１４に設けられた煙返し１８は、縦框１４の室内側面の長手方向に沿って上下に延在して形成されており、外障子Ｂの面方向に沿いかつ左右方向に沿って設けられたベース片１８ａと、ベース片１８ａから直角に室内側に屈曲して突出する屈曲片１８ｂと、屈曲片１８ｂからベース片１８ａと平行となるように戸先側に折り返された折り返し片１８ｃとからなる。屈曲片１８ｂは、内障子Ｃの縦框２３の上述の折り返し片２８ｃの先端部より障子収納部Ｄ側で、外障子Ｂの縦框１４の室内側面から前記折り返し片２８ｃよりも僅かに室内側に突出している。
【００３２】
そして、煙返し１８，２８同士を係合させた状態で、折り返し片１８ｃは、屈曲片１８ｂの先端部からベース片１８ａに沿って、内障子Ｃの煙返し２８のベース片２８ａと折り返し片２８ｃとの間に挿入された状態となっている。なお、煙返し１８のベース片１８ａおよび屈曲片１８ｂは、縦框１４本体を構成する部材を兼ねている。
【００３３】
また、屈曲片１８ｂの内側面（戸先側を向く面）には、たとえば、ゴム（ゴム状の合成樹脂を含む）や軟質の合成樹脂からなる緩衝部材６０が取り付けられている。この緩衝部材６０は、その厚みが外障子Ｂおよび内障子Ｃを閉めて施錠した状態で、外障子Ｂの煙返し１８および内障子Ｃの煙返し２８とに見込まれるクリアランス（設計時のクリアランス）とほぼ同じとされている。なお、ここで、煙返し１８と煙返し１９との間のクリアランスとは、例えば、煙返し１８の屈曲片１８ｂと、煙返し２８の折り返し片２８ｃの先端との距離もしくは、煙返し２８の屈曲片２８ｂと、煙返し１８の折り返し片１８ｃの先端との距離である。また、緩衝部材６０は、外障子Ｂの上下幅とほぼ同じだけ上下に延在するが、必ずしも一つである必要はなく、上下に複数に分割されていてもよく、また、それぞれの分割部分同士の間に上下に間隔があけられていてもよい。
【００３４】
この緩衝部材６０によって、設計時に煙返し１８と煙返し２８とのクリアランスが実施的には０となる。
また、内障子Ｃは、その戸先側となる縦框２４に設けられた煙返し２９と、方立の煙返し３１とが係合することで、左右への移動が規制されるが、設計時に煙り返し２９と、煙返し３１との間にも、煙返し１８と煙返し２８との間と同様のクリアランスが設定されており、これにより、内障子Ｃは、固定の方立Ｅと、施錠された外障子Ｂとに左右への移動を制限されるとともに、前記クリアランス分だけ左右に移動可能となっている。
【００３５】
すなわち、緩衝部材６０によって、設計時に煙返し１８と煙返し２８とのクリアランスが実施的には０となっても、内障子Ｃの戸先側の煙返し２９と、方立Ｅの煙返し３１とのクリアランスは存在するので、外障子Ｂを施錠して固定した場合に、内障子Ｃは、煙返し２９と煙返し３１とのクリアランス分だけ左右に移動可能となる。すなわち、外障子Ｂおよび内障子Ｃを閉めた状態で、外障子Ｂを施錠した際には、外障子Ｂの煙返し１８の屈曲片１８ｂに取り付けられた緩衝部材６０と内障子Ｃの召合せ側の煙返し２８の折り返し片２８ｃの先端とが当接した状態となると、内障子Ｃの戸先側の煙返し２９と方立Ｅの煙返し３１との間に設計上のクリアランス分だけ間隔があくことになり、この間隔分だけ内障子Ｃが施錠された外障子Ｂ側に移動可能となるが、この移動は、後述の規制部材４０に規制され、内障子Ｃは、後述のように煙返し１８、２８同士と、煙返し２９，３１同士の間にクリアランスが設定されていても左右への移動ができない状態となる。
【００３６】
また、外障子Ｂの戸先側の縦框１３には、図示しない戸先錠が設けられ、枠体Ａの縦枠３に縦框１３を固定できるようになっている。なお、戸先錠は、外障子Ｂの戸先側の端面が最も枠体Ａの縦枠３に近づく位置から僅かに離れた位置（予め設定された許容範囲内）でも施錠可能となっており、製造誤差により、後述するように規制部材４０と上述の煙返し１８と煙返し２８との係合（当接）により規制されて、外障子Ｂの戸先側の端面が最も枠体Ａの縦枠３に近づく位置まで外障子Ｂを移動できない状態でも、施錠可能となっている。
【００３７】
また、図１に示すように、枠体Ａを閉じる時に外障子Ｂの戸先側端面と対向する縦枠３の側面には、気密用リブ３ａが上下に延在して形成され、外障子Ｂの戸先側縦框１３には、その端面に前記気密用リブ３ａと係合して外障子Ｂを閉めた際の気密性を確保する気密保持部材１３ａが形成されている。気密用リブ３ａは、その左右方向の長さに余裕があり、上述のように外障子Ｂの戸先側の端面が最も枠体Ａの縦枠３に近づく位置まで移動できない状態でも、気密保持部材１３ａが係合可能となっている。すなわち、基本的に戸先錠を施錠できれば、気密保持部材１３ａにより枠体Ａと閉じた状態の外障子Ｂとの間の気密性を確保可能となっている。
【００３８】
次に、本発明に係る規制部材４０について説明する。
図４（ａ），（ｂ）に示すように、規制部材４０は、この例において、上枠１の内側面となる下面に着脱可能に取り付けられている。規制部材４０は、例えば、押し出し成型で形成されたアルミ（合金）で形成されている。
そして、規制部材４０は、上枠１に取り付けられた状態で、内障子Ｃの上框２１よりも外側で外障子Ｂが移動自在に係止されるレール１ａと、内障子Ｃとの間に配置される取付部４１と、取付部４１より内側で、内障子Ｃの上框２１の左右への移動経路と重なる位置に配置される当接部４２とを備える。
【００３９】
取付部４１は、その下面が外障子Ｂおよび内障子Ｃの上框１１，２１よりも高くなっており、外障子Ｂおよび内障子Ｃに干渉しないようになっている。一方、当接部４２は、その下面が上框１１，２１の上面より低くなっている。そして、当接部４２は、上述のように内障子Ｃの上框２１の左右への移動経路と重なる位置に配置されるので、内障子の上框２１に当接して、内障子Ｃの方立Ｅ（障子収納部Ｄ）から離れる方向（閉じる方向）への移動を規制するようになっている。
【００４０】
前記取付部４１と当接部４２とは一体に成型されており、その下面は、上述のように取付部４１より当接部４２の方が低くなっていることから取付部４１および当接部４２との境界部分に段差が形成されている。さらに、規制部材４０の下面には、規制部材４０の方立Ｅの反対側となる部分（左側）と、規制部材４０より内側となる部分に設けられた上枠カバー５０に対応する複数の段差が設けられ、上枠カバー５０と意匠的に統一されるようになっている。
【００４１】
ここで、上枠カバー５０は、開口部Ｆを外障子Ｂおよび内障子Ｃで閉じた際に、上枠の下面において、内障子Ｃより室内側で開口部Ｆの内周面を構成するアングル３３と外障子Ｂとの間となる位置に配置される。すなわち、閉じた状態の外障子Ｂと内外方向に重なる位置に上枠カバー５０が配置される。これは、外障子Ｂおよび内障子Ｃを閉めた場合に、内障子Ｃ側は、樹脂製のアングル３３と内障子Ｃの室内側の樹脂カバーとがほとんど間隔をあけることなく配置されるが、アングル３３の室内側の端部を内障子Ｃより内側としてしまうと、アングル３３と外障子Ｂの室内側の樹脂カバーとの間に大きく間隔があいてしまうため、この部分を埋めるようにアングル３３と連続した状態の上枠カバー５０が配置されて、意匠性を高めるようになっている。
【００４２】
また、上枠カバー５０の左右の取り付け範囲と、規制部材４０の取付位置が重なるようになっており、図４（ａ）に示すように、上枠カバー５０の右端部（障子収納部Ｄ側端部）の室外側に規制部材４０の取り付け位置に対応して切欠部５１が形成されている。そして、この切欠部５１において、上枠１に規制部材４０が取り付けられる。よって、規制部材４０より室内側には上枠カバー５０が配置されていることになる。また、上枠カバー５０の室内側のほぼ半分は、外障子Ｂの上端部を隠すように、規制部材４０の当接部４２の下面の高さとほぼ同様の高さ（障子Ｂ，Ｃの上端より低い高さ）の突出部５２とされ、上枠カバー５０の室外側の略半分は、外障子Ｂと干渉しないように下面が外障子Ｂの上端より高くされたベース部５３とされている。
【００４３】
そして、規制部材４０が上枠カバー５０の切欠部５１より室外側にあり、規制部材４０の当接部４２と突出部５２との下面が略同じ高さとされている。これにより、規制部材４０と上枠カバー５０とがほぼ一体的な形状となり、規制部材４０が目立つことにより意匠性が低下するのを防止ししている。
なお、図２および図３の縦断面図においては、規制部材４０より左側の断面となっており、規制部材４０が上枠カバー５０で隠された状態となっている。
【００４４】
そして、規制部材４０の取付部４１には、当接部４２よりとなる内外方向の中央の部分に左右二箇所にビス止め用のビス孔４４，４４が形成されている。このビス孔４４，４４は、後述するように規制部材４０（当接部４２）の位置を左右にずらして調整できるように左右に長い長孔となっている。
また、枠体Ａの上枠１には、規制部材４０の取り付け位置に対応して、前記ビス孔４４，４４に挿通されたビス４５，４５と螺合するねじ孔が形成されている。
【００４５】
そして、図１に示すように、規制部材４０の取り付け位置は、外障子Ｂおよび内障子Ｃを閉めて外障子Ｂの戸先錠を施錠し、内障子Ｃが規制部材４０に当接した状態で、外障子Ｂの煙返し１８の前記緩衝部材６０に内障子Ｃの煙返し２８の折り返し片２８ｃの先端が当接する位置である。すなわち、外障子Ｂおよび内障子Ｃを閉めて外障子Ｂの戸先錠を施錠した状態では、外障子Ｂの煙返し１８の前記緩衝部材に内障子Ｃの煙返し２８の折り返し片２８ｃの先端が当接するとともに、内障子Ｃの召合せ側端面と規制部材４０の障子収納部Ｄ側に向く当接面が当接することになる。
この状態の内障子Ｃの位置が、規制部材４０により規制される内障子Ｃの所定位置となる。
【００４６】
この場合に、外障子Ｂは、戸先錠を施錠することで左右に移動できない状態に固定され、内障子Ｃは、その召合せ側の縦框２３において、煙返し２８の折り返し片２８ｃの先端が固定された状態の外障子Ｂの煙返し１８に取り付けられた緩衝部材６０に当接して右方向（障子収納部Ｄに向かう方向）への移動が規制され、かつ、内障子Ｃの召合せ側の端面（縦框２３の端面）が規制部材４０の当接面に当接して左方向（外障子に向かう方向）への移動が規制されることになる。これにより、内障子Ｃは、左右いずれにも移動できない状態となり、がたつきの無い状態となる。
【００４７】
そして、外障子Ｂおよび内障子Ｃが左右にがたつかなくなることと、外障子Ｂの煙返し１８と、内障子Ｃの煙返し２８とが緩衝部材６０を介して当接した状態となることにより、がたつきにより煙返し１８と煙返し２８とがぶつかることによる金属音の発生も完全になくなる。
また、方立Ｅの煙返し３１と、内障子Ｃの戸先側の煙返し２９とは、クリアランスをあけた状態で、内障子Ｃの左右への移動が規制された状態となることで、係合した煙返し３１と煙返し２９とが接触することがなく、煙返し３１と煙返し２９との間での金属音の発生も防止される。
【００４８】
ここで、上述の説明は、煙返し１８と煙返し２８とのクリアランスおよび煙返し２９と煙返し３１とのクリアランスが設計値どおりの場合について説明したが、実際には、製造誤差により、クリアランスが増減することになる。
例えば、枠体の左右幅が設計値より僅かに広くなった場合や、煙返し１８と煙返し２８とが緩衝部材６０を介して当接した状態での外障子Ｂと内障子Ｃとを合わせた左右幅が設計値より僅かに狭くなった場合は、クリアランスが大きくなり、逆に、枠体の左右幅が設計値より僅かに狭くなった場合や、煙返し１８と煙返し２８とが緩衝部材６０を介して当接した状態での外障子Ｂと内障子Ｃとを合わせた左右幅が設計値より僅かに広くなった場合はクリアランスが狭くなる。
【００４９】
ここで、設計値に従って規制部材４０（当接部４２）の左右位置を決定した場合に、製造誤差等によりクリアランスが広くなった場合は、内障子Ｃの召合せ側端面を規制部材４０の当接面に当接した状態で、外障子Ｂの煙返し１８に取り付けられた緩衝部材６０と、内障子Ｃの煙返し２８の折り返し片２８ｃの先端との間に隙間が生じてしまう。これにより外障子Ｂを戸先錠で施錠した状態で、内障子Ｃが設計値からのずれ量に対応して左右に僅かに移動できる状態となってしまう。
そこで、規制部材４０（当接部４２）の位置を障子収納部Ｄ側に近づくようにずらす（縦枠３から離れるようにずらす）ことで、内障子Ｃの煙返し２８の折り返し片２８ｃの先端を外障子Ｂの煙返し１８に取り付けられた緩衝部材６０に当接可能とすることができる。言い換えれば、外障子Ｂを施錠した状態で、障子Ｃの煙返し２８の折り返し片２８ｃの先端を外障子Ｂの煙返し１８に取り付けられた緩衝部材６０に当接するまで規制部材４０の位置をずらし、この規制部材４０を再度上枠１に固定することで、許容範囲内の製造誤差により煙返し１８，２８，２９，３１同士のクリアランスが広くなってもがたつきを防止することができる。
【００５０】
すなわち、規制部材４０は、煙返し１８，２８の係合に基づいて方立Ｅ側の内障子Ｃを閉じる方向に連動させることが可能な障子のうちの閉じた状態で最も前記方立Ｅから離れた外障子Ｂを、少なくとも開放側への移動を禁止するように施錠した際に、所定位置を、連動する一連の障子Ｂ，Ｃの互いに係合する煙返し１８，２８の対において、互いに係合した煙返し１８，２８同士が当接した状態となる前記方立Ｅ側の内障子Ｃの位置とするように調整可能となっている。
【００５１】
一方、煙返し１８，２８，２９，３１同士のクリアランスが狭くなる誤差があった場合には、図に示すような状態となる。すなわち、外障子Ｂおよび内障子Ｃを閉めた場合に、外障子Ｂの戸先側の端面が正常な位置より僅かに枠体Ａの縦枠３から離れた状態となる。この場合に、周知の戸先錠においては、誤差に対する調整機能があり、僅かに縦枠３から離れた状態となっても施錠可能となっており、戸先錠の調整により、上述の設計値からずれのない場合と同様の作用効果を得ることができる。なお、上述のように、開口部Ｆを閉じる時に枠体Ａの縦枠３と外障子Ｂの戸先側の縦框１３との間の気密性を確保する気密材にも左右方向に許容範囲があり、この外障子Ｂの上述の誤差による位置ずれが許容範囲内ならば、気密性も確保可能となっている。
【００５２】
なお、以上の場合において、設計値からのずれ量は予め見込まれる許容範囲内である必要がある。許容範囲を超えると、規制部材４０（当接部４２）の移動や、戸先錠の調整でも対応できないものとなり、がたつきを完全に防止できなかったり、戸先錠の施錠が困難になったり、枠体Ａの縦枠３と外障子Ｂとの間に隙間ができたりする可能性がある。また、規制部材４０を左右に移動可能とする際に、枠体Ａや障子Ｂ，Ｃの左右幅が設計値とほぼ等しい場合に、左右の移動範囲のほぼ中央部に規制部材４０（当接部４２）を配置されるようにし、上述のように製造誤差等によって枠体Ａの左右幅に対して障子Ｂ，Ｃの左右幅が短い場合でも長い場合でも規制部材４０を左右の何れかに移動することで対応できるようにしても良い。
【００５３】
上記例では、２枚建て片引き全開タイプのサッシに本発明を適用したが、その他のタイプのサッシにも適用可能であり、例えば、合掌式に左右に２枚ずつの障子を配置した両寄せ全開口タイプのサッシにも適用可能である。この場合に、戸先錠は、合掌錠とされる以外は、基本的に左右２枚ずつの障子に対してそれぞれ上記例の構成を適用すればよい。また、片側３枚以上、両側５枚以上の障子を有するサッシにも適用可能である。
この場合に、閉じた際に、方立Ｅ側に配置される障子（ここでは、最も内側の障子）が規制部材４０の規制される障子となる。
【００５４】
また、サッシは必ずしも完全に開放される全開タイプに限られるものではなく、開放した際に障子の一部が開口部内に残る構造となっているものでよい。
また、規制部材４０の取付位置は上枠１に限定されるものではなく、下枠２に取り付けるものとしてもよい。なお、上記例のようにサッシが掃き出し窓のもので、下枠２の上面がバリアフリーのために突出部（レール等）がない構造となっている場合には、上枠１に取り付けることが好ましい。
【００５５】
また、規制部材４０は、閉じた際に最も方立Ｅ側に配置される内障子Ｃの方立Ｅ（障子収納部Ｄ）から離れる側への移動（閉じる側への移動）を規制でき、かつ、他の障子の移動を規制することなく、かつ、移動を規制される内障子Ｃの開放側への移動を規制することがなければ、その構成は限定されるものではない。
【００５６】
緩衝部材６０を、外障子Ｂの煙返し１８の屈曲片１８ｂに取り付け、この緩衝部材６０に内障子Ｃの煙返し２８の折り返し片２８ｃの先端が当接するものとしたが、内障子Ｃの煙返し２８の屈曲片２８ｂに緩衝部材６０を取り付け、この緩衝部材６０に外障子Ｂの煙返し１８の折り返し片１８ｃの先端が当接するものとしてもよい。
また、規制部材４０（当接部４２）の左右への調節を、規制部材４０を上枠１に固定するためのビス孔を左右に長い長孔としたが、例えば、上枠１に長孔を形成し、規制部材４０にビス用のねじ孔を形成するものとしてもよいし、上枠１に長孔を形成し、規制部材４０に雄ねじを固定し、雄ねじにナットを螺合して固定するものとしてもよい。
【００５７】
なお、規制部材４０による内障子Ｃの開放方向への移動が規制される所定位置の調整は、上述のものに限られるものではなく、例えば、規制部材４０の当接面となる部分にスペーサ状の調整部材を着脱可能とし、規制部材４０と内障子Ｃの召合せ側端面との間に配置される調整部材の厚み（左右方向の幅）や枚数により調整するものとしてもよいし、例えば、規制部材４０から突出長さを例えばねじ等により調整可能な調整部材を配置してもよい。
【００５８】
また、緩衝部材６０を無いものとし、外障子Ｂの煙返し１８と内障子Ｃの煙返し２８が当接する場合に、煙返し１８の屈曲片１８ｂ（煙返し２８の屈曲片２８ｂ）と、煙返し２８の折り返し片２８ｃの先端（煙返し１８の折り返し片１８ｃの先端）とが直接当接するようにしてもよい。なお、耐久性や、金属音の発生の確実な防止の上では緩衝部材６０があることが好ましい。また、緩衝部材６０を用いない場合には、設計上、外障子Ｂの煙返し１８と内障子Ｃの煙返し２８とのクリアランスを０としてもよく、製造誤差により、クリアランスが０とならなかった場合には、規制部材４０（当接部４２）の位置を上述のように調整することなどにより対応することができる。
【図面の簡単な説明】
【００５９】
【図１】本発明の実施の形態に係る２枚建て片引き全開口タイプのサッシを示す図であって、閉じた状態の横断面図である。
【図２】同、開けた状態の縦断面図である。
【図３】前記サッシの内障子の移動を規制する規制部材の取付位置を示す要部縦断面図である。
【図４】前記規制部材が取り付けられた枠体の上枠を示す図面である。
【図５】前記規制部材を示す図面である。
【図６】前記サッシの前記規制部材と緩衝部材とを示す要部横断面図である。
【図７】前記サッシにおいて、枠体の左右幅に対して閉じた状態の外障子および内障子を合わせた幅が広くなる製造誤差がある場合に、規制部材を右に位置調整した際の前記サッシの横断面図である。
【図８】前記サッシにおいて、枠体の左右幅に対して閉じた状態の外障子および内障子を合わせた幅が狭くなる製造誤差がある場合の前記サッシの横断面図である。
【符号の説明】
【００６０】
Ａ      枠体
Ｂ      外障子（障子）
Ｃ      内障子（障子）
Ｄ      障子収納部
Ｅ      方立（縦部材）
Ｆ      開口部
１      上枠
２      下枠
３      縦枠
４      縦枠
１４    縦框（外障子の右側縁部）
１８    煙返し
２３    縦框（内障子の左側縁部）
２８    煙返し
４０    規制部材
４２    当接部
【図１】
0004668773.tif 000002
【図２】
0004668773.tif 000003
【図３】
0004668773.tif 000004
【図４】
0004668773.tif 000005
【図５】
0004668773.tif 000006
【図６】
0004668773.tif 000007
【図７】
0004668773.tif 000008
【図８】
0004668773.tif 000009